(57)【要約】【課題】照明装置のソケットに容易に取り付けることができるＬＥＤランプを提供する。【解決手段】ＬＥＤランプ１０は、口金３０のねじ込みの方向と直交する軸Ａを中心に回動可能に、グローブ２０を支持する回動部４０と、口金３０の軸Ｂ回りの回転方向を一方向のみに規制するラチェットユニット５０と、を有している。このため、ダウンライトのソケットが筐体の側面に設けられた場合でも、回動部４０を基点として、グローブ２０を所定の角度まで折り曲げて、グローブ２０を持ち手として、左右に振り動かすことにより、筐体との干渉を回避しつつ、口金３０をソケットにねじ込むことができる。これにより、ソケットへの取り付け、取り外しが容易になる。【選択図】図１
2012133919.tif 000002
【特許請求の範囲】
【請求項１】
ＬＥＤ光源と、
前記ＬＥＤ光源を駆動するための駆動手段と、
前記ＬＥＤ光源と前記駆動手段とを覆うことにより、前記ＬＥＤ光源と前記駆動手段とを保護するグローブと、
照明装置のソケットへのねじ込みにより、商用の電源系統と電気的に接続され、前記駆動手段に電源を供給する口金と、
前記口金に対して、前記ねじ込みの方向と直交する軸回りに、所定の角度の範囲で回動するように、前記グローブを支持する回動部と、
前記口金と前記回動部とを接続し、前記口金の回転する方向を一方向に規制するラチェット機構を備えるラチェットユニットと、
を有することを特徴とするＬＥＤランプ。
【請求項２】
前記ラチェットユニットは、前記口金の回転を第１回転方向に規制する第１状態、前記口金の回転を第１回転方向とは反対方向の第２回転方向に規制する第２状態、のいずれかに切り替える切替手段を有することを特徴とする請求項１に記載のＬＥＤランプ。
【請求項３】
前記口金は、ミニクリプトン電球の口金と同等の形状を有し、
前記ミニクリプトン電球を光源とする照明装置に、前記ミニクリプトン電球に代わって用いられることを特徴とする請求項１又は２に記載のＬＥＤランプ。
【発明の詳細な説明】
【技術分野】
【０００１】
本発明は、ＬＥＤランプに関する。
【背景技術】
【０００２】
照明装置の一つであるダウンライトは、主に補助照明として用いられ、筐体が天井に埋め込まれた状態で設置される。筐体は、例えば、略有底円筒形状の部材であり、開口を下向きにして天井に取り付けられる。そして、筐体の上面又は側面には、電球を取り付けるためのソケットが設けられている。
【０００３】
ダウンライトのソケットに取り付けられる電球は、一般的に、ミニクリプトン電球である。しかしながら、環境への配慮から、このミニクリプトン電球に代わる光源として、寿命が長く、消費電力も小さいＬＥＤ（Light Emission Diode）ランプが、提案されている（例えば、特許文献１参照）。
【先行技術文献】
【特許文献】
【０００４】
【特許文献１】特開２００７−９３５２５号公報
【発明の概要】
【発明が解決しようとする課題】
【０００５】
特許文献１に係るＬＥＤランプのサイズは、ミニクリプトン電球のサイズよりも大きい。このため、グローブを持ち手として、筐体の上面ではなく、筐体の側面に形成されたソケットにＬＥＤランプを取り付ける場合、ＬＥＤランプのグローブ部分（持ち手）が筐体の内壁と干渉する。これにより、ＬＥＤランプの口金をソケットに挿入することが難しくなり、ひいては、ＬＥＤランプの取り付けが難しくなる。
【０００６】
本発明は、上述の事情の下になされたもので、照明装置のソケットへの取り付け、取り外しが容易にできるＬＥＤランプを提供することを目的とする。
【課題を解決するための手段】
【０００７】
上記目的を達成するため、本発明のＬＥＤランプは、
ＬＥＤ光源と、
前記ＬＥＤ光源を駆動するための駆動手段と、
前記ＬＥＤ光源と前記駆動手段とを覆うことにより、前記ＬＥＤ光源と前記駆動手段とを保護するグローブと、
照明装置のソケットへのねじ込みにより、商用の電源系統と電気的に接続され、前記駆動手段に電源を供給する口金と、
前記口金に対して、前記ねじ込みの方向と直交する軸回りに、所定の角度の範囲で回動するように、前記グローブを支持する回動部と、
前記口金と前記回動部とを接続し、前記口金の回転する方向を一方向に規制するラチェット機構を備えるラチェットユニットと、
を有することを特徴とする。
【発明の効果】
【０００８】
本発明によれば、ＬＥＤランプは、所定の角度範囲で回動するように、グローブを支持する回動部を有している。したがって、ソケットが筐体の側面に設けられた場合でも、回動部を基点として、グローブを所定の角度まで折り曲げることができ、グローブを筐体の内壁に干渉させずに、口金をソケットへ挿入することができる。
【０００９】
また、ＬＥＤランプは、ラチェット機構を備えるラチェットユニットを有している。したがって、折り曲げられたグローブを持ち手として、左右に振り動かすことにより、筐体との干渉を回避しつつ、口金をダウンライトのソケットにねじ込むことができる。この結果、ソケットへの取り付け、取り外しが容易になる。
【図面の簡単な説明】
【００１０】
【図１】（Ａ）は、本発明の実施形態に係るＬＥＤランプの正面図である。（Ｂ）は、ＬＥＤランプの側面図である。
【図２】ＬＥＤランプの構成図である。
【図３】（Ａ）は、グローブを水平方向に平行な軸回りに回動させた場合のＬＥＤランプの側面図である。（Ｂ）は、グローブと回動部との接続を説明するための図である。
【図４】（Ａ）は、グローブを鉛直方向に平行な軸回りに回動させた場合のＬＥＤランプの側面図である。（Ｂ）は、グローブを鉛直方向に平行な軸回りに回動させた場合のＬＥＤランプの平面図である。
【図５】（Ａ）は、切替レバーを左側に位置させた場合のＬＥＤランプの平面図である。（Ｂ）は、切替レバーを右側に位置させた場合のＬＥＤランプの平面図である。
【図６】（Ａ）及び（Ｂ）は、ＬＥＤランプの断面図である。
【図７】ダウンライトの断面図である。
【図８】ＬＥＤランプの取り付け及び取り外しを説明するための図（その１）である。
【図９】ＬＥＤランプの取り付け及び取り外しを説明するための図（その２）である。
【図１０】従来例に係るＬＥＤランプを取り付けた場合のダウンライトの断面図である。
【発明を実施するための形態】
【００１１】
以下、本発明の実施形態に係るＬＥＤランプ１０について図面を参照しつつ説明する。なお、理解を容易にするため、Ｘ軸をＬＥＤランプ１０の正面方向、Ｚ軸をＬＥＤランプ１０の側面方向、Ｙ軸を鉛直方向とするＸＹＺ座標を設定し、適宜参照する。
【００１２】
ＬＥＤランプ１０は、図１に示すように、内部にＬＥＤ等を収納するグローブ２０と、商用の電源系統に接続するための口金３０と、口金３０に対して、軸Ａ回りの所定の角度範囲で回動するようにグローブ２０を支持する回動部４０と、口金３０と回動部４０とを回転可能に接続するとともに、口金３０の回転できる方向を一方向に規制するラチェット機構を備えるラチェットユニット５０と、を備えている。
【００１３】
グローブ２０は、ＬＥＤ等を保護するとともに、ダウンライト等の照明装置のソケットにＬＥＤランプ１０を取り付ける場合に、持ち手として用いられる。グローブ２０は、例えば、透光性の樹脂からなり、概ね球形状に形成されている。また、グローブ２０の下端には、Ｚ方向に平行な軸部２０ａが一体的に形成されている。また、グローブ２０の内部には、図２に示すように、ＬＥＤユニット２１と、駆動ユニット２２と、が収納されている。
【００１４】
ＬＥＤユニット２１は、複数のＬＥＤを含んで構成されている。これらのＬＥＤは、例えば、直列及び並列に接続されて、回路基板に実装されている。
【００１５】
駆動ユニット２２は、電源系統によって印加される電圧を所望の電圧に変圧する変圧回路、交流電流を直流電流に整流する整流回路、及びこの整流回路に接続される平滑コイルやコンデンサなどを含んで構成されている。この駆動ユニット２２は、ＬＥＤユニット２１の直流電源として機能する。
【００１６】
口金３０は、図１に示すように、例えば、ダウンライト等に用いられるミニクリプトン電球の口金と同等の形状を有している。口金３０には、例えば、型式Ｅ１７のものが用いられる。口金３０は、略円筒形状のシェル部３１と、シェル部３１の下端に絶縁物を介して固定されたアイレット部３２と、を有する。
【００１７】
シェル部３１は、金属から構成される。シェル部３１の外周面には、照明装置のソケットにねじ込むためのねじ山が形成されている。また、シェル部３１の内周面には、図示しない電線の一端が接続されている。電線の他端は、回動部４０及びラチェットユニット５０の内部を通って、駆動ユニット２２に接続されている。
【００１８】
アイレット部３２は、金属から構成される。シェル部３１と同様に、アイレット部３２の上面にも、図示しない電線の一端が接続されている。電線の他端は、回動部４０及びラチェットユニット５０の内部を通って、駆動ユニット２２に接続されている。
【００１９】
回動部４０は、図３（Ａ）に示すように、ラチェットユニット５０の上面に配置されるとともに、グローブ２０を支持する。この回動部４０によって、口金３０に対して、軸Ａ回りに所定の範囲で回動可能になる。回動部４０は、図３（Ｂ）に示すように、回動部本体４１と、回動部本体４１の上方に形成された軸受部４２と、を有する。この軸受部４２には、Ｚ方向に貫通する孔４２ａが形成されている。そして、この孔４２ａには、グローブ２０の軸部２０ａが挿入されている。
【００２０】
グローブ２０は、図３（Ａ）に示すように、軸Ａ回りにおよそ１５０°の範囲で回動する。しかしながら、回動の範囲は、任意である。例えば、１８０°の範囲であってもよい。また、グローブ２０をＹ軸に平行な軸Ｂ回りに回転させた場合には、回動部４０は、その回転のトルクを、回動部４０の下面に固定されたラチェットユニット５０にそのまま伝達する。
【００２１】
ラチェットユニット５０は、図４に示すように、回動部４０の回動部本体４１と口金３０とを接続するとともに、内部にラチェット機構を備えている。このラチェット機構により、グローブ２０を軸Ｂ回りに所定の方向に回転させた場合には、ラチェットユニット５０は、グローブ２０の回転に対して、口金３０を空回りさせる。そして、グローブ２０を軸Ｂ回りに所定の方向とは反対の方向に回転させた場合には、ラチェットユニット５０は、グローブ２０の回転に対して、このグローブ２０と一体に口金３０を回転させる。なお、図４においては、グローブ２０を口金３０に対して回動させた状態としているが、回動させるか否かは任意である。グローブ２０を口金３０に対して回動させていない状態で、グローブ２０を軸Ｂ回りに回転させた場合でも、ラチェットユニット５０は、グローブ２０の回転に対して、口金３０を一体に回転させたり、空回りさせたりする。
【００２２】
このラチェットユニット５０の筐体５１の上面には、図５に示すように、口金３０の回転を規制する方向を切り替えるための切替レバー５２が配置されている。この切替レバー５２は、図５（Ａ）に示す＋Ｚ側（第１位置）、図５（Ｂ）に示す−Ｚ側（第２位置）のいずれかの位置に回動させることができる。また、筐体５１の内部には、図６に示すように、ラチェット歯部５３とラチェット爪部５４とが収納されている。上述のラチェット機構は、ラチェット歯部５３とラチェット爪部５４とから構成される。
【００２３】
ラチェット歯部５３の外周には、複数の三角状の歯が形成されている。また、ラチェット歯部５３は、口金３０に固定されている。そのため、ラチェット歯部５３が、軸Ｂ回りに回転する場合、口金３０も一体に回転する。
【００２４】
ラチェット爪部５４は、Ｘ方向に対して傾斜する第１爪５４ａと第２爪５４ｂとを有している。また、ラチェット爪部５４は、切替レバー５２に接続されている。そして、切替レバー５２が第１位置にあるときには、図６（Ａ）に示すように、ラチェット歯部５３の歯と第１爪５４ａとは非係合状態となり、ラチェット歯部５３の歯と第２爪５４ｂとは係合状態となる。一方、切替レバー５２が第２位置にあるときには、図６（Ｂ）に示すように、ラチェット歯部５３の歯と第１爪５４ａとは係合状態となり、ラチェット歯部５３の歯と第２爪５４ｂとは非係合状態となる。
【００２５】
上述したラチェットユニット５０の動作について説明する。
【００２６】
先ず、図５（Ａ）に示すように、切替レバー５２が＋Ｚ側（第１位置）にある場合について説明する。この場合において、グローブ２０を軸Ｂ回りに第２回転方向Ｒ２に回転させると、回動部４０を介して、ラチェットユニット５０の筐体５１及びラチェット爪部５４も一体に回転する。そうすると、図６（Ａ）に示すように、ラチェット爪部５４の第２爪５４ｂとラチェット歯部５３の歯とが係合しているため、グローブ２０の回転のトルクが、筐体５１を介して、ラチェット歯部５３に伝達される。この結果、口金３０は、グローブ２０の回転と一体となって回転する。
【００２７】
次に、図５（Ａ）に示すように、グローブ２０を軸Ｂ回りに第１回転方向Ｒ１に回転させると、回動部４０を介して、ラチェットユニット５０の筐体５１及びラチェット爪部５４も一体に回転する。そうすると、図６（Ａ）に示すように、ラチェット爪部５４の第１爪５４ａとラチェット歯部５３の歯とが係合していないため、グローブ２０の回転のトルクは口金３０に伝達されない。そして、ラチェット歯部５３の外周に対して、第１爪５４ｂが摺動することにより、筐体５１はラチェット歯部５３に対して空回りする。この結果、グローブ２０は、口金３０に対して空回りする。
【００２８】
次に、図５（Ｂ）に示すように、切替レバー５２が−Ｚ側（第２位置）にある場合について説明する。この場合において、グローブ２０を軸Ｂ回りに第２回転方向Ｒ２に回転させると、回動部４０を介して、ラチェットユニット５０の筐体５１及びラチェット爪部５４も一体に回転する。そうすると、図６（Ｂ）に示すように、ラチェット爪部５４の第１爪５４ｂとラチェット歯部５３の歯とが係合していないため、グローブ２０の回転のトルクは口金３０に伝達されない。そして、ラチェット歯部５３の外周に対して、第１爪５４ａが摺動することにより、筐体５１はラチェット歯部５３に対して空回りする。この結果、グローブ２０は、口金３０に対して空回りする。
【００２９】
次に、図５（Ｂ）に示すように、グローブ２０を軸Ｂ回りに第１回転方向Ｒ１に回転させると、回動部４０を介して、ラチェットユニット５０の筐体５１及びラチェット爪部５４も一体に回転する。そうすると、図６（Ｂ）に示すように、ラチェット爪部５４の第２爪５４ａとラチェット歯部５３の歯とが係合しているため、グローブ２０の回転のトルクが、筐体５１を介して、ラチェット歯部５３に伝達される。この結果、口金３０は、グローブ２０の回転と一体となって回転する。
【００３０】
すなわち、図５（Ａ）に示すように、切替レバー５２が＋Ｚ側（第１位置）にある場合には、グローブ２０を軸Ｂ回りに第２回転方向Ｒ２に回転させると、口金３０は、グローブ２０の回転と一体となって回転する。また、グローブ２０を軸Ｂ回りに第１回転方向Ｒ１に回転させると、グローブ２０は、口金３０に対して空回りする。そして、図５（Ｂ）に示すように、切替レバー５２が−Ｚ側（第２位置）にある場合には、グローブ２０を軸Ｂ回りに第２回転方向Ｒ２に回転させると、グローブ２０は、口金３０に対して空回りする。また、グローブ２０を軸Ｂ回りに第１回転方向Ｒ１に回転させると、口金３０は、グローブ２０の回転と一体となって回転する。
【００３１】
上述したＬＥＤランプ１０は、例えば、図７に示すように、グローブ２０を折り曲げた状態で、ダウンライト６０に取り付けられる。このダウンライト６０は、天井Ｃに埋め込まれた状態で設置される筐体６１と、筐体６１の側面に形成されたソケット６２と、を有している。
【００３２】
筐体６１は、略有底円筒形状の部材である。筐体６１は、開口を下向きにして天井Ｃに取り付けられる。
【００３３】
ソケット６２は、ＬＥＤランプ１０や、既存のミニクリプトン電球を接続するための部材である。ソケット６２は、筐体６１の側面に形成されている。また、ソケット６２は、図示しない電極を有している。この電極は、スイッチ等を介して、商用の電源系統に接続されている。
【００３４】
次に、上述したＬＥＤランプ１０のダウンライト６０への取り付け方法及び取り外し方法を、図８及び図９を用いて説明する。
【００３５】
先ず、作業者は、ラチェットユニット５０の切替レバー５２を＋Ｚ側（第１位置）に配置させる。次に、図８を参照するとわかるように、ＬＥＤランプ１０のグローブ２０を、口金３０に対して傾ける。そして、口金３０をソケット６２に挿入する。このとき、作業者は、グローブ２０を持ち手として、口金３０をソケット６２に挿入する。このとき、グローブ２０は口金３０に対して回動しているため、グローブ２０と筐体６１の内壁との干渉を回避しつつ、口金３０をソケット６２に挿入できる。
【００３６】
次に、図９を参照するとわかるように、筐体６１の内壁と干渉しないように、作業者は、グローブ２０を第１回転方向Ｒ１及び第２回転方向Ｒ２に交互に振り動かす。
【００３７】
そうすると、グローブ２０を第１回転方向Ｒ１に振り動かしたときには、ラチェットユニット５０は、グローブ２０の回転のトルクを口金３０に伝達する。そして、このトルクにより、口金３０は、グローブ２０と一体的に、第１回転方向Ｒ１に回転する。この結果、口金３０は、ソケット６２にねじ込まれる。
【００３８】
そして、グローブ２０を第２回転方向Ｒ２に振り動かしたときには、ラチェットユニット５０は、グローブ２０の回転のトルクを口金３０に伝達しない。この結果、グローブ２０は、口金３０に対して空回りする。
【００３９】
このように、グローブ２０を第１回転方向Ｒ１及び第２回転方向Ｒ２に交互に振り動かすことを繰り返すことによって、口金３０は、ソケット６２にねじ込まれていく。口金３０をソケット６２に最後までねじ込むことによって、ＬＥＤランプ１０のダウンライト６０への取り付けは、完了する。
【００４０】
上述の状態でスイッチが投入されると、商用の電源系統と駆動ユニット２２とが、口金３０及び電線を介して、電気的に接続される。そして、商用の電源系統と駆動ユニット２２とが電気的に接続されると、ＬＥＤユニット２１に直流電流が供給される。これにより、ＬＥＤユニット２１のＬＥＤが発光する。
【００４１】
ＬＥＤランプ１０を取り外す場合は、作業者は、ラチェットユニット５０の切替レバー５２を右側（第２位置）に切り替える。そして、グローブ２０を第１回転方向Ｒ１及び第２回転方向Ｒ２に交互に振り動かす。
【００４２】
そうすると、ラチェットユニット５０により、グローブ２０を第２回転方向Ｒ２に振り動かしたときには、ラチェットユニット５０は、グローブ２０の回転のトルクを口金３０に伝達する。そして、このトルクにより、口金３０は、グローブ２０と一体的に、第２回転方向Ｒ２に回転する。この結果、口金３０のソケット６２に対する締結が緩む。
【００４３】
そして、グローブ２０を第１回転方向Ｒ１に振り動かしたときには、ラチェットユニット５０は、グローブ２０の回転のトルクを口金３０に伝達しない。この結果、グローブ２０は、口金３０に対して空回りする。
【００４４】
グローブ２０を第１回転方向Ｒ１及び第２回転方向Ｒ２に交互に振り動かすことを繰り返すことにより、口金３０のソケット６２に対する締結が緩んでいく。口金３０のソケット６２に対する締結を完全に緩めると、口金３０は、ソケット６２から取り外せるようになる。口金３０をソケット６２から取り外すことによって、ＬＥＤランプ１０のダウンライト６０からの取り外しが、完了する。
【００４５】
以上、説明したように、本実施形態に係るＬＥＤランプ１０は、回動部４０及びラチェットユニット５０を有する。このため、ダウンライト６０のソケット６２が、ダウンライト６０の筐体６１の側面に形成されている場合においても、ＬＥＤランプ１０のソケット６２への取り付け、取り外しが容易になる。
【００４６】
詳しくは、図１０に示されるように、通常のＬＥＤランプ１００を、ダウンライト６０のソケット６２に取り付けようとしても、ＬＥＤランプ１００は、ダウンライト６０の筐体６１の内壁と干渉してしまう。したがって、ＬＥＤランプ１００を、ダウンライト６０に取り付けることはできない。
【００４７】
しかしながら、本実施形態に係るＬＥＤランプ１０は、口金３０に対してグローブ２０を回動させる回動部４０と、ラチェット機構を備えるラチェットユニット５０と、を有している。これにより、回動部４０を基点として、グローブ２０を回動させて傾けることにより、筐体６１との干渉を回避しつつ、口金３０をソケット６２に挿入することが可能になる。また、ラチェットユニット５０を有していることから、グローブ２０を左右に振り動かすことにより、筐体６１との干渉を回避しつつ、口金３０をソケット６２にねじ込ませることが可能になる。
【００４８】
以上、本発明の実施形態について説明したが、本発明は上記実施形態等によって限定されるものではない。
【００４９】
例えば、上記実施形態では、ＬＥＤランプ１０をダウンライト６０に取り付けた場合について説明した。これに限らず、ＬＥＤランプ１０を、ダウンライト６０以外の照明装置に取り付けることも可能である。
【００５０】
また、上記実施形態では、ＬＥＤランプ１０は、電球形状のＬＥＤランプであるが、これに限らず、コンパクト形状等のＬＥＤランプであってもよい。
【００５１】
本発明は、本発明の広義の精神と範囲を逸脱することなく、様々な実施形態及び変形が可能とされるものである。上述した実施形態は、本発明を説明するためのものであり、本発明の範囲を限定するものではない。
【００５２】
上記の実施形態の一部又は全部は、以下の付記のようにも記載されうるが、以下には限られない。
【００５３】
（付記１）  ＬＥＤ光源と、
前記ＬＥＤ光源を駆動するための駆動手段と、
前記ＬＥＤ光源と前記駆動手段とを覆うことにより、前記ＬＥＤ光源と前記駆動手段とを保護するグローブと、
照明装置のソケットへのねじ込みにより、商用の電源系統と電気的に接続され、前記駆動手段に電源を供給する口金と、
前記口金に対して、前記ねじ込みの方向と直交する軸回りに、所定の角度の範囲で回動するように、前記グローブを支持する回動部と、
前記口金と前記回動部とを接続し、前記口金の回転する方向を一方向に規制するラチェット機構を備えるラチェットユニットと、
を有することを特徴とするＬＥＤランプ。
【００５４】
（付記２）前記ラチェットユニットは、前記口金の回転を第１回転方向に規制する第１状態、前記口金の回転を第１回転方向とは反対方向の第２回転方向に規制する第２状態、のいずれかに切り替える切替手段を有することを特徴とする付記１に記載のＬＥＤランプ。
【００５５】
（付記３）前記口金は、ミニクリプトン電球の口金と同等の形状を有し、
前記ミニクリプトン電球を光源とする照明装置に、前記ミニクリプトン電球に代わって用いられることを特徴とする付記１又は２に記載のＬＥＤランプ。
【符号の説明】
【００５６】
１０  ＬＥＤランプ
２０  グローブ
２０ａ  軸部
２１  ＬＥＤユニット
２２  駆動ユニット
３０  口金
３１  シェル部
３２  アイレット部
４０  回動部
４１  回動部本体
４２  軸受部
４２ａ  孔
５０  ラチェットユニット
５１  筐体
５２  切替レバー
５３  ラチェット歯部
５４  ラチェット爪部
５４ａ  第１爪
５４ｂ  第２爪
６０  ダウンライト
６１  筐体
６２  ソケット
１００  ＬＥＤランプ
Ｃ  天井
【図１】
2012133919.tif 000003
【図２】
2012133919.tif 000004
【図３】
2012133919.tif 000005
【図４】
2012133919.tif 000006
【図５】
2012133919.tif 000007
【図６】
2012133919.tif 000008
【図７】
2012133919.tif 000009
【図８】
2012133919.tif 000010
【図９】
2012133919.tif 000011
【図１０】
2012133919.tif 000012